(57)【要約】【課題】自動運転する産業設備１０に取り付けることができ、自動運転待機中又は自動運転が終了した後に、産業設備１０の電源を速やかに遮断できる電源遮断装置１を提供する。【解決手段】電磁継電器ＭＣ１と、該電磁継電器ＭＣ１を制御する制御装置３とを備える。制御装置３は、産業設備１０が自動運転を終了したと判断した場合に、その判断時刻より、予め設定された設定経過時間が経過した後に電磁継電器ＭＣ１をオン状態からオフ状態に切り替える自動運転停止後遮断手段６１を備える。また、制御装置３は、産業設備１０が自動運転を終了したと判断した場合であって、かつ、予め設定された設定遮断時刻に達した場合に、電磁継電器ＭＣ１をオン状態からオフ状態に切り替える定時遮断手段６２を備える。【選択図】図１
2011041365.tif 000002
【特許請求の範囲】
【請求項１】
予め設定された条件で自動的に運転を続ける産業設備の電源を、該産業設備が自動運転を終了した後に遮断するための電源遮断装置であって、
上記産業設備の電力供給線上に設けられた手動ブレーカに対して直列になるよう、上記電力供給線上に設けられた電磁継電器と、
該電磁継電器への通電を制御することにより、上記産業設備への電力供給状態を維持するオン状態と、上記産業設備への電力供給を停止したオフ状態とを切り替えるよう、上記電磁継電器を制御する制御装置と、
ユーザによる、上記制御装置へのデータ入力を受ける入力手段と、
入力されたデータを表示する表示手段とを備え、
上記制御装置は、入力されたデータを記憶する記憶手段と、
時刻を計る計時手段と、
上記産業設備が自動運転中か否かを判断する自動運転判断手段と、
該自動運転判断手段により、上記産業設備が自動運転を終了したと判断された場合に、その判断時刻より、予め設定された設定経過時間が経過した後に上記電磁継電器を上記オン状態からオフ状態に切り替える自動運転停止後遮断手段と、
上記自動運転判断手段により、上記産業設備が自動運転を終了したと判断された場合であって、かつ、予め設定された設定遮断時刻に達した場合に、上記電磁継電器を上記オン状態から上記オフ状態に切り替える定時遮断手段と、
を有することを特徴とする電源遮断装置。
【請求項２】
請求項１において、上記産業設備が、製造ラインに製品が運ばれてきた場合には自動的に処理できる状態であって、かつ該製品が運ばれてくるまで待機する待機状態であるか否かを判断する待機状態判断手段と、
該待機状態判断手段により、上記産業設備が上記待機状態になったと判断した場合に、その判断時刻より、予め定められた設定待機時間が経過した後に上記電磁継電器を上記オン状態からオフ状態に切り替える待機後遮断手段とを備えることを特徴とする電源遮断装置。
【請求項３】
請求項１または請求項２において、上記定時遮断手段における上記設定遮断時刻は、ユーザの入力により予め設定できるよう構成されていることを特徴とする電源遮断装置。
【請求項４】
請求項１〜請求項３のいずれか１項において、上記定時遮断手段は、複数の上記設定遮断時刻を設定可能に構成されていることを特徴とする電源遮断装置。
【請求項５】
請求項１〜請求項４のいずれか１項において、上記制御装置は、上記自動運転停止後遮断手段と上記定時遮断手段の少なくとも一方を無効化して当該手段によっては上記電磁継電器を上記オフ状態に切り替えないようにする設定無効化手段を有することを特徴とする電源遮断装置。
【請求項６】
請求項１〜請求項５のいずれか１項において、上記入力手段及び上記表示手段は、表示画面に上記データを表示するとともに、上記ユーザによる上記データ入力を受け付けるタッチパネルであることを特徴とする電源遮断装置。
【請求項７】
請求項１〜請求項６のいずれか１項において、上記制御装置は、上記産業設備へ供給する電力の一部を用いて稼動しており、上記電磁継電器を上記オフ状態にすると上記制御装置への電力供給も停止するよう構成されており、該制御装置および上記産業設備が停止している場合に、ユーザの手動操作によって該制御装置および該産業設備を起動するための起動スイッチを備えることを特徴とする電源遮断装置。
【請求項８】
請求項７において、上記起動スイッチをオンする手動操作により、上記電磁継電器のコイルに電流が流れ、自己保持状態になって上記オン状態を保持するとともに、該電磁継電器を流れた電流によって上記制御装置が起動するよう構成されており、
上記電磁継電器のコイルに対して直列にリレーが設けられており、上記制御装置からの出力信号により上記リレーがオンし、該リレーを通して上記電磁継電器の上記コイルに電流が流れて該電磁継電器が上記オン状態を維持し、その後、該電磁継電器の自己保持状態を解除するよう構成されていることを特徴とする電源遮断装置。
【請求項９】
請求項７または請求項８において、上記制御装置は、演算処理装置と、該演算処理装置のプログラムを記憶するメモリを有し、上記プログラムの書き込み中に上記電磁継電器を強制的に上記オン状態にする強制ＯＮスイッチを備えることを特徴とする電源遮断装置。
【発明の詳細な説明】
【技術分野】
【０００１】
本発明は、産業設備用の電源遮断装置に関する。
【背景技術】
【０００２】
従来から、機器の電源を自動的に遮断する電源遮断装置が知られている。例えば下記特許文献１には、端末機器の電源をオンしてからの時間を計時し、一定時間経過した後に電源をオフする電源遮断装置が開示されている。また、下記特許文献２には、予め設定された時刻になった場合に、機器の電源を遮断する電源遮断装置が開示されている。このように、自動的に機器の電源を遮断することにより、電力コストを削減することができる。
【先行技術文献】
【特許文献】
【０００３】
【特許文献１】特開２００７−１６４３４１号公報
【特許文献２】特開２００１−１６２８９７号公報
【発明の概要】
【発明が解決しようとする課題】
【０００４】
一方、従来から、産業用ロボットや自動溶接機等の産業設備が工場で使用されている。この産業設備には、電源を遮断するための手動ブレーカが設けられている。産業設備の電源を遮断する場合には、ユーザが手動ブレーカを切断するのであるが、手動ブレーカを切り忘れることがある。この場合、産業設備を使用していないのに電源が入り続け、省エネおよび電力コスト削減、または安全上の観点から好ましくない。そのため、ユーザが手動ブレーカを切り忘れた場合でも、安全等を考慮し、自動的に電源を遮断できるように、産業設備に電源遮断装置を設けることが検討されている。
【０００５】
しかしながら、産業設備は自動運転モードで稼動する場合がある。自動運転中は製造ラインに影響がでるため、予め設定された電源遮断時刻になったとしても、産業設備の電源を遮断することはできない。したがって、従来のように、単に、予め設定された時刻になった場合に強制的に電源を遮断する電源遮断装置は、自動運転する産業設備には取り付けることはできない。
【０００６】
一方、自動運転が終了した後、電源を入れたまま産業設備を長時間待機させると、電力が無駄になるという問題がある。そのため、産業設備が自動運転を終了した場合には、電源を速やかに遮断できるようにしたいという要求がある。
【０００７】
本発明は、かかる従来の問題点に鑑みてなされたもので、自動運転する産業設備に取り付けることができ、自動運転が終了した後に、産業設備の電源を速やかに遮断できる電源遮断装置を提供しようとするものである。
【課題を解決するための手段】
【０００８】
本発明は、予め設定された条件で自動的に運転を続ける産業設備の電源を、該産業設備が自動運転を終了した後に遮断するための電源遮断装置であって、
上記産業設備の電力供給線上に設けられた手動ブレーカに対して直列になるよう、上記電力供給線上に設けられた電磁継電器と、
該電磁継電器への通電を制御することにより、上記産業設備への電力供給状態を維持するオン状態と、上記産業設備への電力供給を停止したオフ状態とを切り替えるよう、上記電磁継電器を制御する制御装置と、
ユーザによる、上記制御装置へのデータ入力を受ける入力手段と、
入力されたデータを表示する表示手段とを備え、
上記制御装置は、入力されたデータを記憶する記憶手段と、
時刻を計る計時手段と、
上記産業設備が自動運転中か否かを判断する自動運転判断手段と、
該自動運転判断手段により、上記産業設備が自動運転を終了したと判断された場合に、その判断時刻より、予め設定された設定経過時間が経過した後に上記電磁継電器を上記オン状態からオフ状態に切り替える自動運転停止後遮断手段と、
上記自動運転判断手段により、上記産業設備が自動運転を終了したと判断された場合であって、かつ、予め設定された設定遮断時刻に達した場合に、上記電磁継電器を上記オン状態から上記オフ状態に切り替える定時遮断手段と、
を有することを特徴とする電源遮断装置にある（請求項１）。
【発明の効果】
【０００９】
次に、本発明の作用効果につき説明する。
本発明では、産業設備の電源供給線上に手動ブレーカと電磁継電器とを直列接続し、この電磁継電器のオンオフ動作を制御装置で制御するように構成した。制御装置は、上記自動運転判断手段と、自動運転停止後遮断手段と、定時遮断手段とを備える。
自動運転停止後遮断手段は、産業設備が自動運転を終了した場合、所定の設定経過時間が経過した後に、産業設備の電源を自動的に遮断する。そのため、自動運転が終了した後、ユーザが産業設備の手動ブレーカを切り忘れた場合でも、自動的に電源を遮断でき、省エネおよび電力コスト削減を推進することができる。
【００１０】
また、定時遮断手段は、産業設備が自動運転を終了した場合であって、かつ予め定められた設定遮断時刻に達した場合には、産業設備の電源を自動的に遮断する。そのため、産業設備が自動運転中である場合には、設定遮断時刻に達したとしても、電源を遮断せず、自動運転が終了した場合にのみ、電源を遮断することができる。これにより、自動運転中の産業設備の電源を遮断してしまう不具合を防止できる。
【００１１】
また、本発明の制御装置は、自動運転停止後遮断手段と定時遮断手段とを備えるので、自動運転が終了した後、産業設備の電源を速やかに遮断することができる。すなわち、産業設備が自動運転を終了した後、上記設定経過時間の経過の方が、上記設定遮断時刻よりも早い場合は、自動運転停止後遮断手段により、産業設備の電源を遮断できる。また、自動運転が終了した後、上記設定遮断時刻の方が上記設定経過時間の経過よりも早い場合は、定時遮断手段により、産業設備の電源を遮断できる。
【００１２】
また、本発明は上記入力手段と表示手段を備える。そのため、ユーザは入力手段を使って制御装置へデータ入力を行うことができ、また、入力したデータを表示して確認することができる。この制御装置へ入力するデータは、例えば、自動運転判断手段における上記設定経過時間である。
【００１３】
以上のごとく、本発明によれば、自動運転する産業設備に取り付けることができ、自動運転が終了した後に、産業設備の電源を速やかに遮断できる電源遮断装置を提供することができる。
【図面の簡単な説明】
【００１４】
【図１】実施例１における、電源遮断装置のブロック図。
【図２】実施例１における、制御装置のブロック図。
【図３】実施例１における、フローチャート。
【図４】図３に続くフローチャート。
【図５】図４に続くフローチャート。
【図６】図５に続くフローチャート。
【図７】実施例１における、一日のうちの電源遮断装置の動作例。
【図８】実施例１における、図７とは別の動作例。
【発明を実施するための形態】
【００１５】
上述した本発明における好ましい実施の形態につき説明する。
本発明において、上記産業設備が、製造ラインに製品が運ばれてきた場合には自動的に処理できる状態であって、かつ該製品が運ばれてくるまで待機する待機状態であるか否かを判断する待機状態判断手段と、
該待機状態判断手段により、上記産業設備が上記待機状態になったと判断した場合に、その判断時刻より、予め定められた設定待機時間が経過した後に上記電磁継電器を上記オン状態からオフ状態に切り替える待機後遮断手段とを備えることが好ましい（請求項２）。
【００１６】
このようにすると、産業設備の省エネおよび安全対策を一層進めることができる。
すなわち、産業設備は自動運転中であっても、製品が流れてこない場合には動作せず、製品が流れてくるまで待機する。この待機状態が長時間続くと、電力が無駄になる等の問題がある。しかし上述のようにすれば、産業設備が待機状態になってから所定時間を経過した後に電源を遮断することができ、電力コストを抑制することが可能になる。
【００１７】
また、上記定時遮断手段における上記設定遮断時刻は、ユーザの入力により予め設定できるよう構成されていることが好ましい（請求項３）。
このようにすると、産業設備の電源を遮断する時刻を、ユーザが自由に設定できるようになる。例えば、夜中や休憩時間中など、産業設備を停止する時刻が決められている場合は、その時刻を設定することができる。これにより、工場のスケジュール等に合わせて、柔軟に、電源を遮断する予定時間を設定または変更することができる。
【００１８】
また、上記定時遮断手段は、複数の上記設定遮断時刻を設定可能に構成されていることが好ましい（請求項４）。
このようにすると、産業設備の電源を遮断する時間を、一日の間に複数回設定することができる。例えば、一日の間に休憩時間が複数回ある場合等に、その休憩時間ごとに産業設備を自動的に停止できるようになる。これにより、休憩時間中の省エネおよび電力コスト削減を一層、進めることが可能になる。
【００１９】
なお、上記待機後遮断手段における設定待機時間は、ユーザの入力により予め設定できるよう構成されていることが好ましい。
このようにすると、設定待機時間をユーザが自由に設定できるようになる。例えば、待機状態が長く続くことが多い場合には、設定待機時間を短めに設定することができる。これにより、産業設備の稼動状態に合わせて最適な設定待機時間を設定できる。
【００２０】
また、上記制御装置は、上記自動運転停止後遮断手段と上記定時遮断手段の少なくとも一方を無効化して当該手段によっては上記電磁継電器を上記オフ状態に切り替えないようにする設定無効化手段を有することが好ましい（請求項５）。
このようにすると、産業設備の稼動スケジュールを急に変更した場合に対応することができる。例えば、産業設備の設定遮断時刻が近づいているが、ユーザが予定を変更して産業設備を稼動する場合には、上記定時遮断手段を無効化することができる。また、産業設備が自動運転を終了して、上記設定経過時間を経過しつつあるが、予定を変更して引き続き産業設備を稼動する場合には、上記自動運転停止後遮断手段を無効化することができる。
【００２１】
なお、上記設定無効化手段は、自動運転停止後遮断手段と、定時遮断手段と、待機後遮断手段との少なくとも一を無効化して当該手段によっては電磁継電器をオフ状態に切り替えないように構成されていることが好ましい。
このようにすると、ユーザは必要に応じて、待機後遮断手段を無効化することが可能になる。
【００２２】
また、上記入力手段及び上記表示手段は、表示画面に上記データを表示するとともに、上記ユーザによる上記データ入力を受け付けるタッチパネルであることが好ましい（請求項６）。
この場合には、入力手段と表示手段を一体化することができ、電源遮断装置の部品点数を減らして簡素化することができる。また、ユーザは、表示画面を見ながらデータ入力をすることができるため、操作を行いやすくなる。
【００２３】
また、上記制御装置は、上記産業設備へ供給する電力の一部を用いて稼動しており、上記電磁継電器を上記オフ状態にすると上記制御装置への電力供給も停止するよう構成されており、該制御装置および上記産業設備が停止している場合に、ユーザの手動操作によって該制御装置および該産業設備を起動するための起動スイッチを備えることが好ましい（請求項７）。
この場合には、産業設備および制御装置が停止している時に、ユーザの手動操作によって、産業設備および制御装置を起動させることができる。
電磁継電器をオン状態にするためには、まず制御装置を立ち上げる必要がある。制御装置が一旦起動すれば、後は制御装置からの出力信号によって、電磁継電器のオン状態を維持することが可能となる。しかし、制御装置が停止している場合は、上記信号を出力できないので、手動操作によって制御装置を立ち上げる必要がある。上記構成にすると、電源投入時に、ユーザが起動スイッチを手動操作してオンすることにより、制御装置を立ち上げることが可能になる。
【００２４】
また、上記起動スイッチをオンする手動操作により、上記電磁継電器のコイルに電流が流れ、自己保持状態になって上記オン状態を保持するとともに、該電磁継電器を流れた電流によって上記制御装置が起動するよう構成されており、
上記電磁継電器のコイルに対して直列にリレーが設けられており、上記制御装置からの出力信号により上記リレーがオンし、該リレーを通して上記電磁継電器の上記コイルに電流が流れて該電磁継電器が上記オン状態を維持し、その後、該電磁継電器の自己保持状態を解除するよう構成されていることが好ましい（請求項８）。
【００２５】
この場合には、起動スイッチを手動操作によってオンし、すぐに手を離しても制御装置を起動することができる。すなわち、制御装置を起動するためには暫くの間、電力供給を続ける必要があるため、仮に上記構成を採用しなかったとすると、起動スイッチを暫くの間、押圧し続ける必要が生じる。しかし上記構成にすると、起動スイッチを瞬間的にオンにしただけで電磁継電器が自己保持状態になってオン状態になり続けるため、ユーザは起動スイッチからすぐに手を離しても、制御装置を起動することができる。
また、制御装置が起動した後は、電磁継電器の自己保持状態が解除されるため、制御装置が上記出力信号を停止すれば、電磁継電器をオフ状態にすることができる状態になる。
【００２６】
また、上記制御装置は、演算処理装置と、該演算処理装置のプログラムを記憶するメモリを有し、上記プログラムの書き込み中に上記電磁継電器を強制的に上記オン状態にする強制ＯＮスイッチを備えることが好ましい（請求項９）。
このようにすると、プログラムの書き込み中に電磁継電器がオフし、ひいては制御装置が停止することを防止できる。
すなわち、制御装置は、メモリにプログラムが記憶されている場合は、稼動中にプログラムを書き変える（いわゆるＲＵＮ中書込み）こともできるが、最初にメモリにプログラムを記憶させる場合は、ＲＵＮ中書込みをすることができない。この場合、メモリにプログラムを書き込んでいる最中に、電磁継電器をオン状態にするための信号を出力しなくなる場合がある。この信号の出力が停止すると、電磁継電器がオフ状態になり、制御装置自体も停止してしまう。その結果、プログラムの書込みができなくなる。
しかしながら、上記強制ＯＮスイッチを設けることにより、メモリに最初にプログラムを書き込む場合であっても、電磁継電器を強制的にオン状態にすることができる。そのため、プログラムの書込み中に電磁継電器がオフし、制御装置が停止する不具合を防止できる。本発明のように制御装置からの出力信号が停止すると電磁継電器がオフ状態になり、ひいては制御装置自体が停止する構成になっている場合には、上記強制ＯＮスイッチを設けることによる効果は大きい。
【００２７】
また、上記制御装置は、上記電磁継電器を上記オン状態から上記オフ状態に切り替える時刻の所定時間前に、上記表示手段にその予告情報を表示する予告情報表示手段を備えることが好ましい。
このようにすると、産業設備の電源を遮断する前に、ユーザに通知することができる。ユーザは、この予告情報を見た後、必要に応じて、自動運転停止後遮断手段、定時遮断手段、待機後遮断手段を無効化することができる。
【００２８】
また、上記制御装置は、上記電磁継電器を上記オン状態から上記オフ状態に切り替える時刻の所定時間前に、音声出力装置にその予告情報を音声出力させる音声出力手段を備えることが好ましい。
このようにすると、ユーザが表示手段を見ていなくても、産業設備の電源が遮断することを音声により通知することができる。ユーザは、音声による通知を聞いた後、必要に応じて、自動運転停止後遮断手段、定時遮断手段、待機後遮断手段を無効化することができる。
【００２９】
上記定時遮断手段においては、上記設定遮断時刻として、１点の時刻ではなく、定時遮断開始時刻と定時遮断終了時刻との間の時間帯を指定し、この時間帯に属する時刻をすべて設定遮断時刻として扱うよう構成することが好ましい。このようにすると、上記定時遮断手段の適用による電源遮断をより使いやすくすることができる。
すなわち、上記定時遮断時刻として、定時遮断開始時刻と定時遮断終了時刻とに挟まれる時間帯を設定しておくことによって、その時間帯より前に産業設備が自動運転を終了していなくても、その時間帯に自動運転が終了しさえすれば、上記定時遮断手段の適用によって電源遮断を実行することができる。もちろん、上記自動運転停止後遮断手段の設定条件の関係によって、自動運転停止後遮断手段による電源遮断が行われる場合もあるが、自動運転停止後遮断手段が無効化されている場合には、これに代えて上記定時遮断手段がその役割を果たすことができ、特に有効である。
また、上記定時遮断手段と自動運転停止後遮断手段の両方が有効である場合でも、上記定時遮断開始時刻と定時遮断終了時刻との間に産業設備が自動運転を終了した場合に、より早く産業設備の電源を遮断することが可能となる。例えば、産業設備が自動運転を終了した場合に、自動運転停止後遮断手段では３０分後に電源を遮断するよう設定されており、定時遮断手段では３分後に電源を遮断するよう設定されている場合には、定時遮断手段によって電源をより早く遮断する。これにより、省エネおよび電力コスト削減をさらに推進することができる。
【００３０】
また、上記制御手段は、上記産業設備が正常であるか否かを判断する設備正常判断手段を備え、
上記自動運転停止後遮断手段は、上記自動運転判断手段および上記設備正常判断手段により、上記産業設備が上記自動運転を正常に終了したと判断された場合に、その判断時刻より、上記設定経過時間が経過した後に上記電磁継電器を上記オン状態から上記オフ状態に切り替えるよう構成されていることが好ましい。
このようにすると、産業設備が自動運転を正常に終了した場合にのみ、電源を遮断し、自動運転を正常に終了していない場合には、電源を遮断しないようにすることができる。すなわち、産業設備に異常が発生して停止した場合は電源を強制的に遮断しないようにすることができる。
【実施例】
【００３１】
（実施例１）
本発明の電源遮断装置につき、図１〜図８を用いて説明する。
図１に示すごとく、本例の電源遮断装置１は、予め設定された条件で自動的に運転を続ける産業設備１０の電源を、該産業設備１０が自動運転を終了した後に遮断するための電源遮断装置１である。
また、産業設備１０の電力供給線上に設けられた手動ブレーカ２０に対して直列になるよう、電力供給線上に電磁継電器ＭＣ１が設けられている。
【００３２】
図１に示すごとく、電磁継電器ＭＣ１への通電を制御することにより、産業設備１０への電力供給状態を維持するオン状態と、産業設備１０への電力供給を停止したオフ状態とを切り替えるよう、電磁継電器ＭＣ１を制御する制御装置３を備える。
また、ユーザによる、制御装置３へのデータ入力を受ける入力手段４０と、入力されたデータを表示する表示手段４１とを備える。
【００３３】
図２に示すごとく、制御装置３は、入力されたデータ３３ｄを記憶する記憶手段３３と、時刻を計る計時手段３４とを備える。
また、制御装置３は、産業設備１０が自動運転中か否かを判断する自動運転判断手段６０を備える。
さらに、自動運転判断手段６０により、産業設備１０が自動運転を終了したと判断された場合に、その判断時刻より、予め設定された設定経過時間が経過した後に電磁継電器ＭＣ１をオン状態からオフ状態に切り替える自動運転停止後遮断手段６１を備える。
また、自動運転判断手段６０により、産業設備１０が自動運転を終了したと判断された場合であって、かつ、予め設定された設定遮断時刻に達した場合に、電磁継電器ＭＣ１をオン状態からオフ状態に切り替える定時遮断手段６２を備える。
【００３４】
また、本例の電力遮断装置１は、図１、図２に示すごとく、産業設備１０が、製造ラインに製品が運ばれてきた場合には自動的に処理できる状態であって、かつ製品が運ばれてくるまで待機する待機状態であるか否かを判断する待機状態判断手段６３を備える。
そして、待機状態判断手段６３により、産業設備１０が待機状態になったと判断した場合に、その判断時刻より、予め定められた設定待機時間が経過した後に電磁継電器１０をオン状態からオフ状態に切り替える待機後遮断手段６４を備える。
以下、詳説する。
【００３５】
図２に示すごとく、制御装置３は、演算処理装置３２（ＣＰＵ）と、プログラム３３ｐおよび入力データ３３ｄを記憶する記憶手段３３（メモリ）と、計時手段３４と、Ｉ／Ｏ３０と、これらを接続する接続ライン３１とを備える。演算処理装置３２がプログラム３３ｐを読み込んで実行することにより、本例の自動運転判断手段６０、自動運転停止後遮断手段６１、定時遮断手段６２、待機状態判断手段６３、待機後遮断手段６４、設定無効化手段６５、予告情報表示手段６６、音声出力手段６７、設備正常判断手段６８が実現される。
【００３６】
一方、図１に示すごとく、制御装置３は、入力端子Ｘ０、Ｘ１、Ｘ２、Ｘ３および出力端子Ｙ０、Ｙ１、Ｙ２を備える。入力端子Ｘ０には、産業設備１０が自動運転モードを選択しているか否かを示す信号が入力される。入力端子Ｘ１には、産業設備１０が自動運転中か否かを示す信号が入力される。また、入力端子Ｘ２には、産業設備１０に異常が発生しているか否かを示す信号が入力される。入力端子Ｘ３には、産業設備１０が待機状態になっているか否かを示す信号が入力される。
出力端子Ｙ０、Ｙ１、Ｙ２は、それぞれリレーＣＲ１のコイル８１、音声出力手段ＢＺ１（ブザー）、リレーＣＲ２のコイル８２に通電するための電流を出力する。
【００３７】
また、起動スイッチ５、リレーＣＲ１，ＣＲ２、電磁継電器ＭＣ１は、図１に示すように接続されている。制御装置３および産業設備１０が停止している状態でユーザが起動スイッチ５を押圧すると、これら制御装置３および産業設備１０を起動することができる。
すなわち、起動スイッチ５を押すと、電磁継電器ＭＣ１のコイル２１および起動スイッチ５に電流が流れ、電磁継電器ＭＣ１がオン状態になる。これにより、電磁継電器ＭＣ１およびリレーＣＲ２に電流が流れ、電磁継電器ＭＣ１は自己保持状態になる。その後、ユーザが手を離して起動スイッチ５がオフになっても、電磁継電器ＭＣ１はオン状態を維持し続ける。
電磁継電器ＭＣ１がオン状態になると、暫く経過した後、制御装置３が起動し、出力端子Ｙ０から信号を出力する。これによりリレーＣＲ１がオン状態になり、次いで、出力端子Ｙ２から出力された信号により、リレーＣＲ２がオフ状態になる。これにより、電磁継電器ＭＣ１の自己保持状態が解除される。この後は、リレーＣＲ１および電磁継電器ＭＣ１がオン状態になり、制御装置３および産業設備１０に電力を供給し続ける。
【００３８】
産業設備１０の電源を遮断する場合には、制御装置３は出力端子Ｙ０からの出力信号を停止する。これにより、コイル８１に電流が流れなくなり、リレーＣＲ１がオフ状態になる。そしてコイル２１への通電が停止し、電磁継電器ＭＣ１がオフ状態になる。
【００３９】
一方、本例では、定時遮断手段６２における設定遮断時刻は、ユーザの入力により予め設定できるよう構成されている。すなわち、ユーザが設定遮断時刻を入力手段４０に入力すると、その設定遮断時刻が入力データ３３ｄ（図２参照）としてメモリ３３に記憶される。この設定遮断時刻は、変更することもできる。
【００４０】
また、図２に示すごとく、制御装置３は、自動運転停止後遮断手段６１と、定時遮断手段６２と、待機後遮断手段６４との少なくとも一を無効化して当該手段によっては電磁継電器ＭＣ１をオフ状態に切り替えないようにする設定無効化手段６５を有する。自動運転停止後遮断手段６１、定時遮断手段６２、待機後遮断手段６４を無効化するためには、ユーザが、入力手段４０に対して、これらを無効化する操作を行う。
【００４１】
また、図１に示すごとく、入力手段４０及び表示手段４１は、表示画面にデータを表示するとともに、ユーザによるデータ入力を受け付けるタッチパネル４である。
このタッチパネル４には、上述した設定遮断時刻、設定経過時間、および電源遮断前の予告情報が表示される。また、ユーザはこのタッチパネル４に対して、自動運転停止後遮断手段６１、定時遮断手段６２、待機後遮断手段６４を無効化する場合の操作を行う。
【００４２】
また、図１に示すごとく、制御装置３は、産業設備１０へ供給する電力の一部を用いて稼動しており、電磁継電器ＭＣ１をオフ状態にすると制御装置３への電力供給も停止するよう構成されており、制御装置３および産業設備１０が停止している場合に、ユーザの手動操作によって制御装置３および産業設備１０を起動するための起動スイッチ５を備える。
【００４３】
また、図１に示すごとく、起動スイッチ５をオンする手動操作により、電磁継電器ＭＣ１のコイル２１に電流が流れ、自己保持状態になってオン状態を保持するとともに、電磁継電器ＭＣ１を流れた電流によって制御装置３が起動するよう構成されている。
また、電磁継電器ＭＣ１のコイル２１に対して直列にリレーＣＲ１が設けられており、制御装置３からの出力信号によりリレーＣＲ１がオンし、該リレーＣＲ１を通して電磁継電器ＭＣ１のコイル２１に電流が流れて電磁継電器ＭＣ１がオン状態を維持し、その後、電磁継電器ＭＣ１の自己保持状態を解除するよう構成されている。
【００４４】
また、図１、図２に示すごとく、制御装置３は、演算処理装置３２（ＣＰＵ）と、該演算処理装置３２のプログラム３３ｐを記憶するメモリ３３を有し、プログラム３３ｐの書き込み中に電磁継電器ＭＣ１を強制的にオン状態にする強制ＯＮスイッチ７を備える。
この強制ＯＮスイッチ７は、例えばセレクト型スイッチを用いることができる。
【００４５】
次に、プログラム３３ｐを含めた、電源遮断装置１の全体のフローチャートを図３〜図５に示す。このフローチャートを使って、電源遮断装置１の動作について説明する。
まず、図３に示すごとく、ユーザが強制ＯＮスイッチ７をオンにするか、起動スイッチ５をオンにすると、産業設備１０および制御装置３が起動する（ステップＳ１〜Ｓ３）。
【００４６】
制御装置３は、起動した後、自動運転停止後遮断手段６１が有効になっているか否かを判断する（ステップＳ４）。ここで、自動運転停止後遮断手段６１が有効になっている場合はステップＳ１１に移動し、無効になっている場合はステップＳ５に移動する。
【００４７】
ステップＳ１１〜Ｓ１４の処理を図４に示す。
図４に示すごとく、ステップＳ１１では、ユーザによる、自動運転停止後遮断手段６１のタイマー設定を受け付ける。すなわち、産業設備１０が自動運転を停止した後、何分後（設定経過時間）に産業設備１０の電源を遮断するかをユーザが設定する場合は、その設定値を記憶する。ユーザが設定しない場合は、メモリ３３に記憶している値を使ってステップＳ１４を処理する。
ステップＳ１２では、産業設備１０が自動運転モードを選択しているか手動運転モードを選択しているかを判断する。この判断は、制御装置３の入力端子Ｘ０（図１参照）に入力される信号に基づいて行う。ここで、産業設備１０が自動運転モードを選択していると判断した場合はステップＳ１３に移り、手動運転モードを選択していると判断した場合（自動運転モードでない場合）はステップＳ５に移る。
【００４８】
ステップＳ１３では、産業設備１０の自動運転が停止し、かつ産業設備１０が正常であるか否かを判断する。この判断は、制御手段３の入力端子Ｘ１及びＸ２に入力される信号に基づいて行う。ステップＳ１３でＹＥＳと判断した場合はステップＳ１４に移動し、ＮＯと判断した場合はステップＳ５に移動する。
ステップＳ１４では、産業設備１０の電源を遮断する時刻の所定時間前になったか否かを判断する。本例では、電源遮断時刻の３分前になったか否かを判断する。３分前になった場合はステップＳ１９に移動し、３分前になっていない場合はステップＳ５に移る。
以上説明したように、ステップＳ１１〜Ｓ１４を処理することにより、産業設備１０が自動運転を正常に終了し、かつ電源を遮断する予定時刻よりも所定時間前に達した場合にステップＳ１９以降に進み、そうでない場合はステップＳ５に進む。
【００４９】
次に、ステップＳ５〜Ｓ９について説明する。図３に示すごとく、ステップＳ５では、定時遮断手段６２が有効であるか否かを判断する。定時遮断手段６２が有効である場合はＳ６に進み、無効である場合はステップＳ１０に進む。
ステップＳ６では、ユーザによる、産業設備１０の設定遮断時刻の設定を受け付ける。すなわち、産業設備１０の定時遮断開始時刻と定時遮断終了時刻とを一組にして設定する操作がユーザにより行われた場合、その時刻を記憶する。この定時遮断開始時刻と定時遮断終了時刻の間の時間帯を設定遮断時刻として扱う。ステップＳ６で設定が行われない場合は、既にメモリ３３（図２参照）に記憶されている定時遮断開始時刻および定時遮断終了時刻を用いて、ステップＳ７〜Ｓ９を処理する。
【００５０】
ステップＳ７では、現在時刻が定時遮断開始時刻と定時遮断終了時刻の間であるか否かを判断する。例えば、定時遮断開始時刻と定時遮断終了時刻の間に産業設備１０の電源を投入した場合には、ＹＥＳと判断される。ステップＳ７でＹＥＳと判断した場合はステップＳ９に進み、ＮＯと判断した場合はステップＳ８に進む。
ステップＳ８では、設定遮断時刻の所定時間前に到達したか否かを判断する。本例では、設定遮断時刻の３分前に到達したか否かを判断している。ここでＹＥＳと判断した場合はステップＳ９に進み、ＮＯと判断した場合はステップＳ１０に進む。
ステップＳ９では、産業設備１０が自動運転を停止したか否かを判断する。この判断は、制御手段３の入力端子Ｘ１及びＸ２に入力される信号に基づいて行う。ステップＳ９でＹＥＳと判断した場合はステップＳ１９に進み、ＮＯと判断した場合はステップＳ１０に進む。
以上説明したように、ステップＳ６〜Ｓ９を処理することにより、産業設備１０が自動運転を正常に終了し、かつ設定遮断時刻に達した場合にステップＳ１９に進み、そうでない場合はステップＳ１０に進む。
【００５１】
ステップＳ１０では、待機後遮断手段６４が有効であるか否かを判断する。ここでＹＥＳと判断された場合はステップＳ１５に進み、ＮＯと判断した場合はステップＳ４に戻る。
ステップＳ１５では、ユーザによる、設定待機時間の設定を受け付ける。また、ステップＳ１６では産業設備１０が自動運転中か否かを判断する。ここでＹＥＳと判断された場合にはステップＳ１７に進み、ＮＯと判断された場合はステップＳ４に戻る。
ステップＳ１７では、産業設備１０が待機状態になったか否かを判断する。自動運転中であっても、製造ラインに製品が流れてこない場合は待機状態になる。ここでＹＥＳと判断された場合はステップＳ１８に進み、ＮＯと判断された場合はステップＳ４に戻る。
【００５２】
ステップＳ１８では、産業設備１０の電源を遮断する時刻の所定時間前になったか否かを判断する。本例では、電源遮断時刻の３分前になったか否かを判断する。３分前になった場合はステップＳ１９に移動し、３分前になっていない場合はステップＳ４に戻る。
【００５３】
以上説明したように、ステップＳ１５〜Ｓ１８を処理することにより、産業設備１０が待機状態になり、かつ設定待機時間を経過した場合はステップＳ１９に進み、それ以外の場合はステップＳ４に戻る。
【００５４】
ステップＳ１９では、産業設備１０の電源を遮断する予告情報をタッチパネル４に表示する。例えば、電源遮断までに残された時間を表示する。
また、ステップＳ２０では、自動運転停止後遮断手段６１、定時遮断手段６２、待機後遮断手段６４を無効化する操作が行われたか否かを判断する。ユーザが、これらを無効化する操作を行った場合は、ステップＳ４に戻る。無効化操作を行わない場合はステップＳ２１に進む。
ステップＳ２１では、電源遮断時刻の所定時間前に到達したか否かを判断する。本例では、電源遮断時刻の１分前に到達したか否かを判断する。ここでＹＥＳと判断した場合はステップＳ２２に進み、ＮＯと判断した場合はステップＳ２０に戻る。
【００５５】
ステップＳ２２では、音声出力手段ＢＺ１（図２参照）に音声出力をさせることにより、１分以内に電源を遮断することをユーザに通知する。
ステップＳ２３では、ステップＳ２０と同様に、自動運転停止後遮断手段６１、定時遮断手段６２、待機後遮断手段６４を無効化する操作が行われたか否かを判断する。ユーザが、これらを無効化する操作を行った場合は、ステップＳ４に戻る。無効化操作を行わない場合はステップＳ２４に進む。
ステップＳ２４では、電源遮断時刻に到達したか否かを判断する。電源遮断時刻に到達した場合はステップＳ２５に進み、到達していない場合はステップＳ２３に戻る。
電源遮断時刻に到達した後、強制ＯＮスイッチ７がオンになっている場合は、電源を遮断できないが（ステップＳ２５）、強制ＯＮスイッチ７がオフになっている場合は、産業設備１０の電源を遮断する（ステップＳ２６）。
【００５６】
次に、１日のうちの、電源遮断装置１の動作例を図７に示す。同図に示すごとく、定時遮断開始時刻ｔ１と、定時遮断終了時刻ｔ２とは一対にして設定されている。そして、定時遮断開始時刻ｔ１と定時遮断終了時刻ｔ２の組は、複数個、設定可能になっている。本例では、定時遮断開始時刻ｔ１と定時遮断終了時刻ｔ２は、合計４組設定されている。
一方、産業設備１０が自動運転を時刻ｔ３に終了した場合、その時刻ｔ３から設定経過時間ｔ５を経過すると、電源遮断時刻ｔ４になる。図７では、電源遮断時刻ｔ４が定時遮断開始時刻ｔ１よりも早いため、この電源遮断時刻ｔ４に産業設備１０の電源が遮断される。
【００５７】
その後、図７に示すごとく、時刻ｔ１とｔ２の間の時刻ｔ０’にユーザが産業設備１０の電源を投入した場合でも、産業設備１０が自動運転中であれば、定時遮断手段６２によって電源は遮断されない。また、産業設備１０が自動運転を時刻ｔ３’に終了した場合、設定経過時間ｔ５’を経過した後に電源遮断時刻ｔ４’となるが、図７の例では時刻ｔ４’よりも定時遮断開始時刻ｔ１’の方が早いため、この定時遮断開始時刻ｔ１’に産業設備１０の電源が遮断される。
【００５８】
次に、電源遮断装置１の別の動作例を図８に示す。上述したように、産業設備１０が自動運転中である場合は、定時遮断開始時刻ｔ１に達しても電源を遮断しない。また、定時遮断開始時刻ｔ１と定時遮断終了時刻ｔ２との間の時刻ｔ３に産業設備１０が自動運転を終了した場合は、自動運転停止後遮断６１と、定時遮断手段６２とのいずれかによって、産業設備１０の電源が遮断される。ここで、自動運転停止後遮断手段６１による電源遮断時刻ｔ４と、定時遮断手段６２による電源遮断時刻ｔ６とのうち、早い方の時刻に、産業設備１０の電源が遮断される。図８の例では、定時遮断手段６２による電源遮断時刻ｔ６の方が早いので、この時刻ｔ６に、産業設備１０の電源が遮断される。
【００５９】
一方、ユーザが時刻ｔ０’に産業設備１０を起動し、自動運転をしていたが、時刻ｔ９において待機状態になった場合には、その時刻ｔ９から設定待機時間ｔ８を経過した時刻ｔ４’にて電源を遮断する。
【００６０】
次に、本例の電源遮断装置１の作用効果について説明する。
図１に示すごとく、本例の電源遮断装置１は、産業設備１０の電源供給線上に手動ブレーカ２０と電磁継電器ＭＣ１とを直列接続し、この電磁継電器ＭＣ１のオンオフ動作を制御装置３で制御するように構成した。また、図２に示すごとく、制御装置３は、自動運転判断手段６０と、自動運転停止後遮断手段６１と、定時遮断手段６２とを備える構成にした。
図３〜図５に示すごとく、自動運転停止後遮断手段６１は、産業設備１０が自動運転を終了した場合、所定の設定経過時間が経過した後に、産業設備１０の電源を自動的に遮断する。そのため、自動運転が終了した後、ユーザが産業設備１０の手動ブレーカ２０を切り忘れた場合でも、自動的に電源を遮断でき、省エネおよび電力コスト削減を推進することができる。
【００６１】
また、図３に示すごとく、定時遮断手段６２は、産業設備１０が自動運転を終了した場合であって、かつ予め定められた設定遮断時刻に達した場合には、産業設備１０の電源を自動的に遮断する。そのため、産業設備１０が自動運転中である場合には、設定遮断時刻に達したとしても、産業設備１０の電源を遮断せず、自動運転が終了した場合にのみ、電源を遮断することができる。これにより、自動運転中の産業設備１０の電源を遮断してしまう不具合を防止できる。
【００６２】
また、本発明の制御装置３は、自動運転停止後遮断手段６１と定時遮断手段６２とを備えるので、自動運転が終了した後、産業設備１０の電源を速やかに遮断することができる。すなわち、図７に示すごとく、産業設備１０が自動運転を時刻ｔ３に終了した後、設定経過時間ｔ５の経過の方が、定時遮断開始時刻ｔ１よりも早い場合は、自動運転停止後遮断手段６１により、産業設備１０の電源を遮断できる。また、図７に示すごとく、産業設備１０が自動運転を時刻ｔ３’に終了した場合で、定時遮断開始時刻ｔ１’の方が、設定経過時間ｔ５’の経過よりも早い場合は、定時遮断手段６２により、産業設備１０の電源を遮断できる。
【００６３】
また、図１に示すごとく、本例の電源遮断装置１は入力手段４０と表示手段４１を備える。そのため、ユーザは入力手段４０を使って制御装置３へデータ入力を行うことができ、また、入力したデータを表示して確認することができる。
【００６４】
また、図２に示すごとく、本例の電源遮断装置１は、待機状態判断手段６３と、待機後遮断手段６４とを備える。これにより、産業設備１０の省エネおよび安全対策を一層進めることが可能となる。
すなわち、産業設備１０は自動運転中であっても、製品が流れてこない場合には動作せず、製品が流れてくるまで待機する。この待機状態が長時間続くと、電力が無駄になる等の問題がある。しかし上述のようにすれば、産業設備１０が待機状態になってから所定時間を経過した後に電源を遮断することができ、電力コストを抑制することが可能になる。
【００６５】
また、本例では、定時遮断手段６２における設定遮断時刻は、ユーザの入力により予め設定できるよう構成されている。
このようにすると、産業設備１０の電源を遮断する時刻を、ユーザが自由に設定できるようになる。例えば、夜中や休憩時間中など、産業設備１０を停止する時刻が決められている場合は、その時刻を設定することができる。これにより、工場のスケジュール等に合わせて、柔軟に、電源を遮断する予定時間を設定または変更することができる。
【００６６】
また、本例では、図７に示すごとく、定時遮断手段６２は、複数の設定遮断時刻を設定可能に構成されている。
このようにすると、産業設備１０の電源を遮断する時間を、一日の間に複数回設定することができる。例えば、一日の間に休憩時間が複数回ある場合等に、その休憩時間ごとに産業設備１０を自動的に停止できるようになる。これにより、休憩時間中の省エネおよび電力コスト削減を一層、進めることが可能になる。
【００６７】
また、図２、図３〜図５に示すごとく、制御装置３は、自動運転停止後遮断手段６１と、定時遮断手段６２と、待機後遮断手段６４とを各々無効化して当該手段によっては電磁継電器ＭＣ１をオフ状態に切り替えないようにする設定無効化手段６５を有する。
このようにすると、産業設備１０の稼動スケジュールを急に変更した場合に対応することができる。例えば、産業設備１０の設定遮断時刻が近づいているが、ユーザが予定を変更して産業設備１０を稼動する場合には、定時遮断手段６２を無効化することができる。また、産業設備１０が自動運転を終了して、設定経過時間を経過しつつあるが、予定を変更して引き続き産業設備１０を稼動する場合には、自動運転停止後遮断手段６１を無効化することができる。
【００６８】
また、図１に示すごとく、入力手段４０及び表示手段４１は、表示画面にデータを表示するとともに、ユーザによるデータ入力を受け付けるタッチパネル４である。
このようにすると、入力手段４０と表示手段４１を一体化することができ、電源遮断装置１の部品点数を減らして簡素化することができる。また、ユーザは、表示画面を見ながらデータ入力をすることができるため、操作を行いやすくなる。
【００６９】
また、本例では、図１に示すごとく、ユーザの手動操作によって制御装置３および産業設備１０を起動するための起動スイッチ５を備える。
このようにすると、産業設備１０および制御装置３が停止している時に、ユーザの手動操作によって、産業設備１０および制御装置３を起動させることができる。
電磁継電器ＭＣ１をオン状態にするためには、まず制御装置３を立ち上げる必要がある。制御装置３が一旦起動すれば、後は制御装置３からの出力信号によって、電磁継電器ＭＣ１のオン状態を維持することが可能となる。しかし、制御装置３が停止している場合は、上記信号を出力できないので、手動操作によって制御装置３を立ち上げる必要がある。上記構成にすると、電源投入時に、ユーザが起動スイッチ５を手動操作してオンすることにより、制御装置３を立ち上げることが可能になる。
【００７０】
また、本例では図１に示すごとく、起動スイッチ５をオンする手動操作により、電磁継電器ＭＣ１が自己保持状態になってオン状態を保持するよう構成されている。その後、制御装置３が立ち上がり、制御装置３からの出力信号によってリレーＣＲ１がオンする。そして、リレーＣＲ１を介してコイル２１に電流が流れる。その後、リレーＣＲ２がオフになって、電磁継電器ＭＣ１の自己保持状態が解除される。
このようにすると、起動スイッチ５を手動操作によってオンし、すぐに手を離しても制御装置３を起動することができる。また、制御装置３が起動した後は、電磁継電器ＭＣ１の自己保持状態が解除されるため、制御装置３が出力信号を停止すれば、電磁継電器ＭＣ１をオフ状態にすることができる状態になる。
【００７１】
また、図１、図２に示すごとく、制御装置３は、演算処理装置３２と、該演算処理装置３２のプログラム３３ｐを記憶するメモリ３３を有し、プログラム３３ｐの書き込み中に電磁継電器ＭＣ１を強制的にオン状態にする強制ＯＮスイッチ７を備える。
このようにすると、プログラム３３ｐの書き込み中に電磁継電器ＭＣ１がオフし、ひいては制御装置３が停止することを防止できる。
すなわち、制御装置３は、メモリ３３にプログラム３３ｐが記憶されている場合は、稼動中にプログラム３３ｐを書き変える（いわゆるＲＵＮ中書込み）こともできるが、最初にメモリ３３にプログラム３３ｐを記憶させる場合は、ＲＵＮ中書込みをすることができない。この場合、メモリ３３にプログラム３３ｐを書き込んでいる最中に、電磁継電器ＭＣ１をオン状態にするための信号を出力しなくなる場合がある。この信号の出力が停止してしまうと、電磁継電器ＭＣ１がオフ状態になり、制御装置３自体も停止してしまう。その結果、プログラム３３ｐの書込みができなくなる。
しかしながら、強制ＯＮスイッチ７を設けることにより、メモリ３３に最初にプログラム３３ｐを書き込む場合であっても、電磁継電器ＭＣ１を強制的にオン状態にすることができる。そのため、プログラムの書込み中に電磁継電器ＭＣ１がオフし、制御装置３が停止する不具合を防止できる。
【００７２】
また、図２に示すに示すごとく、制御装置３は、電磁継電器ＭＣ１をオン状態からオフ状態に切り替える時刻の所定時間前に、表示手段４１にその予告情報を表示する予告情報表示手段６６を備える。
このようにすると、産業設備１０の電源を遮断する前に、ユーザに通知することができる。ユーザは、この予告情報を見た後、必要に応じて、自動運転停止後遮断手段６１、定時遮断手段６２、待機後遮断手段６４を無効化することができる。
【００７３】
また、図２に示すごとく、制御装置３は、電磁継電器ＭＣ１をオン状態からオフ状態に切り替える時刻の所定時間前に、音声出力装置ＢＺ１にその予告情報を音声出力させる音声出力手段６７を備える。
このようにすると、ユーザが表示手段４１を見ていなくても、産業設備１０の電源が遮断することを音声により通知することができる。ユーザは、音声による通知を聞いた後、必要に応じて、自動運転停止後遮断手段６１、定時遮断手段６２、待機後遮断手段６４を無効化することができる。
【００７４】
また、図８に示すごとく、定時遮断手段６２においては、設定遮断時刻として、１点の時刻ではなく、定時遮断開始時刻ｔ１と定時遮断終了時刻ｔ２との間の時間帯を指定し、この時間帯に属する時刻をすべて設定遮断時刻として扱う。このようにすると、定時遮断手段６２の適用による電源遮断をより使いやすくすることができる。
すなわち、定時遮断時刻として、定時遮断開始時刻ｔ１と定時遮断終了時刻ｔ２とに挟まれる時間帯を設定しておくことによって、その時間帯より前に産業設備１０が自動運転を終了していなくても、その時間帯に自動運転が終了しさえすれば、定時遮断手段６２の適用によって電源遮断を実行することができる。もちろん、自動運転停止後遮断手段６１の設定条件の関係によって、自動運転停止後遮断手段６１による電源遮断が行われる場合もあるが、自動運転停止後遮断手段６１が無効化されている場合には、これに代えて定時遮断手段６２がその役割を果たすことができ、特に有効である。
また、定時遮断手段６２と自動運転停止後遮断手段６１の両方が有効である場合でも、定時遮断開始時刻ｔ１と定時遮断終了時刻ｔ２との間に産業設備１０が自動運転を終了した場合に、より早く産業設備１０の電源を遮断することが可能となる。例えば、産業設備１０が自動運転を終了した場合に、自動運転停止後遮断手段６１では３０分後に電源を遮断するよう設定されており、定時遮断手段６２では３分後に電源を遮断するよう設定されている場合には、定時遮断手段６２によって電源を遮断する。これにより、省エネおよび電力コスト削減をさらに推進することができる。
【００７５】
また、図２に示すごとく、制御手段３は、産業設備１０が正常であるか否かを判断する設備正常判断手段６８を備える。また、図４に示すごとく、自動運転停止後遮断手段６１は、産業設備１０が自動運転を正常に終了したと判断した場合に、その判断時刻から上記設定経過時間が経過した後に電磁継電器ＭＣ１をオン状態からオフ状態に切り替える。
このようにすると、産業設備１０が自動運転を正常に終了した場合にのみ、電源を遮断し、自動運転を正常に終了していない場合には、電源を遮断しないようにすることができる。すなわち、産業設備１０に異常が発生して停止した場合は電源を強制的に遮断しないようにすることができる。
【００７６】
以上のごとく、本例によれば、自動運転する産業設備１０に取り付けることができ、自動運転が終了した後に、産業設備１０の電源を速やかに遮断できる電源遮断装置１を提供することができる。
【符号の説明】
【００７７】
１  電源遮断装置
１０  産業設備
３  制御装置
３３  記憶手段（メモリ）
３４  計時手段
４０  入力手段
４１  表示手段
５  起動スイッチ
６０  自動運転判断手段
６１  自動運転停止後遮断手段
６２  定時遮断手段
７  強制ＯＮスイッチ
ＭＣ１  電磁継電器
ＣＲ１，ＣＲ２  リレー
【図１】
2011041365.tif 000003
【図２】
2011041365.tif 000004
【図３】
2011041365.tif 000005
【図４】
2011041365.tif 000006
【図５】
2011041365.tif 000007
【図６】
2011041365.tif 000008
【図７】
2011041365.tif 000009
【図８】
2011041365.tif 000010